(57)【要約】【課題】従来のウォーターサーバー用の液体容器は、ウォーターサーバーの空気導入孔の有無によって、取り付ける液体容器の種類が異なり、煩わしいという欠点があった。【解決手段】本発明のウォーターサーバー用の液体容器は、液体容器本体と、上記液体容器本体の上部に設けた上部開口部と、上記液体容器本体の下部に設けた空気導入用の孔と、上記空気導入用の孔に設けた着脱自在の蓋とよりなることを特徴とする。また、本発明のウォーターサーバー用の液体容器は、液体容器本体と、上記液体容器本体の上部に設けた開口部と、上記液体容器本体の下部に設けた空気導入用の孔と、上記空気導入用の孔に設けた空気清浄フィルタ装置とよりなることを特徴とする。【選択図】図１
2009018834.tif 000002
【特許請求の範囲】
【請求項１】
液体容器本体と、上記液体容器本体の上部に設けた上部開口部と、上記液体容器本体の下部に設けた空気導入用の孔と、上記空気導入用の孔に設けた着脱自在の蓋とよりなることを特徴とするウォーターサーバー用の液体容器。
【請求項２】
液体容器本体と、上記液体容器本体の上部に設けた開口部と、上記液体容器本体の下部に設けた空気導入用の孔と、上記空気導入用の孔に設けた空気清浄フィルタ装置とよりなることを特徴とするウォーターサーバー用の液体容器。
【請求項３】
上記空気清浄フィルタ装置は液体容器本体内から上記液体容器本体外に液体が流出することを防止する弁を有することを特徴とする請求項２記載のウォーターサーバー用の液体容器。
【請求項４】
上記空気清浄フィルタ装置を気密に塞ぐ手段を更に有することを特徴とする請求項２または３記載のウォーターサーバー用の液体容器。
【発明の詳細な説明】
【技術分野】
【０００１】
本発明はウォーターサーバー用の液体容器、特に、空気導入用の孔を有するウォーターサーバー用の液体容器に関するものである。
【背景技術】
【０００２】
図６は従来のウォーターサーバー用の液体容器を示し、１は容量が例えば１９．８リットル又は１２．３リットルのプラスチック製ボトルなどの液体容器本体、２は上記容器本体１の上部に設けた首部、３は上記首部の上端に設けた開口部であり、図７に示すように、上記容器本体１を逆さにし、上記上部開口部３の首部２をウォーターサーバー４の上部のボトル給水部５に嵌合せしめ、上記ウォーターサーバー４内に上記液体容器本体１内の液体２２を供給せしめる。なお、２３は上記ウォーターサーバーの温水及び冷水の取出口である。
【０００３】
このような液体容器としては例えば引用文献１がある。
【特許文献１】特開２００５−３５００６７
【発明の開示】
【発明が解決しようとする課題】
【０００４】
然しながら、ウォーターサーバーには、図７に示すように、空気導入用の孔６と、この孔６に設けた空気清浄フィルタ７とをウォーターサーバー４に設け、上記孔６からの空気２４が上記液体容器本体１の開口部３を介して上記液体容器本体１内に入ることにより、上記液体容器本体１からウォーターサーバー４内に液体２２を供給するタイプと、ウォーターサーバーに空気導入用の孔を設けず、収縮可能な液体容器（図示せず）を用いて、上記液体容器を収縮せしめることでウォーターサーバー内に液体を供給するタイプの２種類あり、前者のウォーターサーバーにおいては、収縮不可の液体容器を接続せしめる必要があり、後者のウォーターサーバーには収縮可能の容器を接続せしめる必要があるなど、ウォーターサーバーの空気導入用の孔の有無によって、接続できる液体容器が異なり、不便であるという欠点があった。
【０００５】
本発明は上記の欠点を除くようにしたものである。
【課題を解決するための手段】
【０００６】
本発明のウォーターサーバー用の液体容器は、液体容器本体と、上記液体容器本体の上部に設けた上部開口部と、上記液体容器本体の下部に設けた空気導入用の孔と、上記空気導入用の孔に設けた着脱自在の蓋とよりなることを特徴とする。
【０００７】
また、本発明のウォーターサーバー用の液体容器は、液体容器本体と、上記液体容器本体の上部に設けた開口部と、上記液体容器本体の下部に設けた空気導入用の孔と、上記空気導入用の孔に設けた空気清浄フィルタ装置とよりなることを特徴とする。
【０００８】
また、上記空気清浄フィルタ装置は液体容器本体内から上記液体容器本体外に液体が流出することを防止する弁を有することを特徴とする。
【０００９】
また、上記空気清浄フィルタ装置を気密に塞ぐ手段を更に有することを特徴とする。
【発明の効果】
【００１０】
本発明においては、ウォーターサーバーの種類に係わらず、液体容器を取り付けることができるという大きな利益がある。
【発明を実施するための最良の形態】
【００１１】
以下図面によって本発明の実施例を説明する。
【実施例１】
【００１２】
本発明のウォーターサーバー用の液体容器は図１に示すように、容量が例えば１９．８リットル又は１２．３リットルのプラスチック製ボトルなどの液体容器本体８と、上記容器本体８の上部に設けた首部９と、上記首部９の上端に設けた開口部１０と、上記容器本体８の底部に設けた、空気導入用の孔１１と、上記孔１１に固定せしめた、塵やゴミなどの侵入を防ぐ空気清浄フィルタ装置１２と、上記空気清浄フィルタ装置１２を気密に覆うテープ部１３とよりなる。
【００１３】
また、上記空気清浄フィルタ装置１２は、その外周がゴム部などにより形成された、上記孔１１に挿入される空気導入口１４と、エアフィルタ１５と、上記空気導入口１４と上記エアフィルタ１５との間に設けた、液体容器本体８内から液体容器本体８外に内部の液体が流出するのを防止するための逆止弁（図示せず）とよりなる。
【００１４】
本発明のウォーターサーバー用の液体容器は上記のような構成であるから、図２に示すように、ウォーターサーバー４に設けた空気導入用の孔６から外部の空気を液体容器本体８内に導入するタイプのウォーターサーバーに上記液体容器本体８を装着せしめる場合は、上記空気清浄フィルタ装置１２をテープ部１３により気密に覆い、上記空気導入用の孔１１を介して液体容器本体８の外部から内部に空気が入らないようにして、上記液体容器本体８を上記ウォーターサーバー４に装着せしめれば、上記孔６からの空気２４が上記容器本体８の開口部１０を介して上記容器本体８内に入ることにより、上記液体容器本体８内の液体２２を上記ウォーターサーバー４内に供給することができ、また、図３に示すように、空気導入用の孔のないタイプのウォーターサーバー１６に上記液体容器本体８を装着せしめる場合には、上記液体容器本体８を上記ウォーターサーバー１６に装着した後に、上記空気清浄フィルタ部１２を覆うテープ部１３を上記空気清浄フィルタ装置１２から外し、上記空気清浄フィルタ装置１２を介して外部の空気が上記液体容器本体８の内部に入るようにすれば、上記液体容器本体８内の液体２２を上記ウォーターサーバー１６内に供給することができるようなる。
【００１５】
本発明のウォーターサーバー用の液体容器によれば、ウォーターサーバーの空気導入用の孔の有無にかかわらず、上記液体容器８を取り付けることができ、ウォーターサーバー内に液体２２を供給することができるという大きな利益がある。
【００１６】
なお、上記空気導入用の孔１１を液体容器本体の底に設ける代わりに、孔を液体容器本体８の側面下部に設けてもよい。
【実施例２】
【００１７】
図４は本発明の液体容器の他の実施例を示し、本発明の他の実施例は、プラスチック製ボトルなどの液体容器本体１７と、上記液体容器本体１７の上部に設けた首部１８と、上記首部１８の上端に設けた開口部１９と、上記液体容器本体１７の側面下部に設けた空気導入用の孔部２０と、上記孔部２０に着脱自在な蓋２１とよりなる。
【００１８】
本発明の他の実施例においても、ウォーターサーバー４に設けた空気導入用の孔６から外部の空気を液体容器本体内に導入するタイプのウォーターサーバーに上記液体容器本体１７を装着せしめる場合は、上記孔部２０に蓋２１を取り付け、上記孔部２０を介して液体容器本体１７の外部から内部に空気が入らないようにして、上記液体容器本体１７を上記ウォーターサーバー４に装着せしめれば、上記液体容器本体１７内の液体を上記ウォーターサーバー４内に供給することができ、また、空気導入用の孔のないタイプのウォーターサーバー１６に上記液体容器本体１７を装着せしめる場合には、図５に示すように、上記液体容器本体１７を上記ウォーターサーバー１６に装着した後に、上記孔部２０から上記蓋２１を外し、上記孔部２０を介して外部の空気が上記液体容器本体１７の内部に入るようにすれば、上記液体容器本体１７内の液体を上記ウォーターサーバー１６内に供給することができ、ウォーターサーバーの空気導入用の孔の有無にかかわらず、上記液体容器を取り付けることができ、ウォーターサーバー内に液体を供給することができる。
【図面の簡単な説明】
【００１９】
【図１】本発明のウォーターサーバー用の液体容器の縦断側面図である。
【図２】本発明のウォーターサーバー用の液体容器をウォーターサーバーに装着した状態を示す一部縦断側面図である。
【図３】本発明のウォーターサーバー用の液体容器を他のウォーターサーバーに装着した状態を示す一部縦断側面図である。
【図４】本発明の他の実施例のウォーターサーバー用の液体装置の側面図である。
【図５】本発明の他の実施例のウォーターサーバー用の液体装置の蓋を取り外した状態の側面図である。
【図６】従来のウォーターサーバー用の液体装置の側面図である。
【図７】従来のウォーターサーバー用の液体容器をウォーターサーバーに装着した状態を示す一部縦断側面図である。
【符号の説明】
【００２０】
１  液体容器本体
２  首部
３  開口部
４  ウォーターサーバー
５  ボトル給水部
６  孔
７  空気清浄フィルタ
８  液体容器本体
９  首部
１０  開口部
１１  孔
１２  空気清浄フィルタ装置
１３  テープ部
１４  空気導入口
１５  エアフィルタ
１６  ウォーターサーバー
１７  液体容器本体
１８  首部
１９  開口部
２０  孔部
２１  蓋
２２  液体
２３  取出口
２４  空気
【図１】
2009018834.tif 000003
【図２】
2009018834.tif 000004
【図３】
2009018834.tif 000005
【図４】
2009018834.tif 000006
【図５】
2009018834.tif 000007
【図６】
2009018834.tif 000008
【図７】
2009018834.tif 000009